(57)【要約】【課題】発信者を容易に認識することができるテレビ電話装置を提供する。【解決手段】テレビ電話装置を実現するＣＰＵ２１０は、操作部に対する操作に基づいて携帯電話による電話の発信あるいはデータの送信が行なわれることを検知する検知部３１０と、電話の発信が行なわれることの検知に応答して、カメラによる撮影を実行する撮影制御部３２０と、カメラによって取得された画像信号に基づいてその被写体を認識する画像認識部３３０と、電話の発信の際にカメラによって撮影された被写体が携帯電話の使用者であるか否かを判定する判定部３４０と、操作部に対して与えられた操作に応答して、送信を制御する送信制御部３５０とを備える。【選択図】図３
2008199509.tif 000002
【特許請求の範囲】
【請求項１】
テレビ電話装置であって、
インターネット・プロトコルに従って通信する電話手段と、
被写体を撮影して画像信号を出力するカメラと、
前記テレビ電話装置の使用者として予め登録された使用者の画像データを格納するメモリと、
前記電話手段による発信が開始されたときに前記カメラに被写体を撮影させる撮影制御手段と、
前記画像データと、前記カメラから出力された画像信号とに基づいて、撮影された被写体が前記予め登録された使用者であるか否かを判定する認識手段と、
前記電話手段の発信を行なった使用者が前記予め登録された使用者であると判定されたときに、前記発信によって特定される通話相手に、前記被写体の画像信号を送信する送信制御手段とを備える、テレビ電話装置。
【請求項２】
テレビ電話装置であって、
予め規定された通信プロトコルに従って通信する通信手段と、
被写体を撮影して画像信号を出力する撮影手段と、
前記通信手段による通信が開始されたときに前記撮影手段に被写体を撮影させる撮影制御手段と、
前記通信手段による通信の開始に応答して、前記撮影手段から出力された画像信号を、前記通信の相手先に送信する送信制御手段とを備える、テレビ電話装置。
【請求項３】
前記テレビ電話装置の使用者を識別する識別データを格納する記憶手段と、
前記撮影手段から出力された画像信号と、前記識別データとに基づいて、前記撮影手段によって撮影された被写体が前記使用者であるか否かを認識する認識手段とをさらに備え、
前記被写体は前記使用者であることが認識されたときに、前記送信制御手段は、前記被写体の画像を前記通信の相手先に送信する、請求項２に記載のテレビ電話装置。
【請求項４】
前記通信プロトコルは、インターネット・プロトコルを含む、請求項２に記載のテレビ電話装置。
【請求項５】
前記送信制御手段は、前記発信を表わす信号の送信前に、前記画像信号を送信する、請求項２に記載のテレビ電話装置。
【請求項６】
テレビ電話装置であって、
インターネット・プロトコルに従って、画像信号を受信する受信手段と、
前記テレビ電話装置の通信相手を表わす画像データと、前記画像データに関連付けられる通信相手とを格納するメモリと、
前記画像信号と前記画像データとが対応するか否かを判定する判定手段と、
前記画像信号が前記画像データに対応すると判定されると、前記画像信号の送信者が前記通信相手であることを表示する表示制御手段とを備える、テレビ電話装置。
【請求項７】
テレビ電話装置であって、
予め規定された通信プロトコルに従って、撮影によって取得された信号を受信する受信手段と、
前記テレビ電話装置の通信相手を特定するため識別データと、前記識別データに関連付けられる通信相手とを格納する記憶手段と、
前記信号と前記識別データとが対応するときに、前記信号の送信者が前記通信相手であることを通知する通知手段とを備える、テレビ電話装置。
【請求項８】
前記通知手段は、前記信号の送信者が前記通信相手であることを表示する表示手段を含む、請求項７に記載のテレビ電話装置。
【請求項９】
前記通知手段は、前記信号の送信者が前記通信相手であることを表わす音声を出力する音声出力手段を含む、請求項７に記載のテレビ電話装置。
【請求項１０】
前記信号と前記識別データとが対応するか否かを判定する判定手段をさらに備え、
前記信号が前記識別データに対応すると判定されると、前記通知手段は、前記信号の送信者が前記通信相手であることを通知する、請求項７に記載のテレビ電話装置。
【請求項１１】
前記信号は、被写体の撮影によって生成された画像信号を含み、
前記識別データは、前記テレビ電話装置の使用者を撮影することにより生成された画像データを含む、請求項７に記載のテレビ電話装置。
【請求項１２】
前記信号は、被写体の撮影によって生成された画像信号から算出された特徴量を含み、
前記識別データは、前記テレビ電話装置の使用者の撮影によって生成された画像データから算出された特徴量を含む、請求項７に記載のテレビ電話装置。
【発明の詳細な説明】
【技術分野】
【０００１】
本発明はテレビ電話装置に関し、特に、通話相手の特定を支援するテレビ電話装置に関する。
【背景技術】
【０００２】
テレビ電話装置が知られている。たとえば、特開２００６−２５３７７５号公報（特許文献１）は、発呼側の実在する発信者を受信側で確認できるテレビ電話装置を開示している。
【０００３】
また、特開平９−２２４２２８号公報（特許文献２）は、使用者の意図に即した通信を行い、通信に関する利便性の向上を図ることができる画像通信装置を開示している。
【０００４】
さらに、特開２００５−２９５２２３号公報（特許文献３）は、発呼側の接続要求に伴って映像または音声で発信者を認識した後に、リアルタイムで動画、音声を双方向通信可能なネットワーク対応動画音声配信システムを開示している。
【特許文献１】特開２００６−２５３７７５号公報
【特許文献２】特開平９−２２４２２８号公報
【特許文献３】特開２００５−２９５２２３号公報
【発明の開示】
【発明が解決しようとする課題】
【０００５】
しかしながら、上記の各技術によると、認識のための画像信号が送られることで通信に対する負荷が増大する恐れがあった。また、仮に画像信号を送信しない場合には、受信側が発呼者を正確に認識できない恐れもあった。
【０００６】
本発明は、上述の問題点を解決するためになされたものであって、その目的は、通信回線に対する負荷の増大を抑制しつつ受信側が発信者を容易に認識することができるテレビ電話装置を提供することである。
【課題を解決するための手段】
【０００７】
上記の課題を解決するために、この発明のある局面に従うテレビ電話装置は、インターネット・プロトコルに従って通信する電話手段と、被写体を撮影して画像信号を出力するカメラと、テレビ電話装置の使用者として予め登録された使用者の画像データを格納するメモリと、電話手段による発信が開始されたときにカメラに被写体を撮影させる撮影制御手段と、画像データと、カメラから出力された画像信号とに基づいて、撮影された被写体が予め登録された使用者であるか否かを判定する認識手段と、電話手段の発信を行なった使用者が予め登録された使用者であると判定されたときに、発信によって特定される通話相手に、被写体の画像信号を送信する送信制御手段とを備える。
【０００８】
この発明の他の局面に従うテレビ電話装置は、予め規定された通信プロトコルに従って通信する通信手段と、被写体を撮影して画像信号を出力する撮影手段と、通信手段による通信が開始されたときに撮影手段に被写体を撮影させる撮影制御手段と、通信手段による通信の開始に応答して、撮影手段から出力された画像信号を、通信の相手先に送信する送信制御手段とを備える。
【０００９】
好ましくは、テレビ電話装置は、当該テレビ電話装置の使用者を識別する識別データを格納する記憶手段と、撮影手段から出力された画像信号と、識別データとに基づいて、撮影手段によって撮影された被写体が使用者であるか否かを認識する認識手段とをさらに備える。被写体は使用者であることが認識されたときに、送信制御手段は、被写体の画像を通信の相手先に送信する。
【００１０】
好ましくは、通信プロトコルは、インターネット・プロトコルを含む。
好ましくは、送信制御手段は、発信を表わす信号の送信前に、画像信号を送信する。
【００１１】
この発明の他の局面に従うテレビ電話装置は、インターネット・プロトコルに従って、画像信号を受信する受信手段と、テレビ電話装置の通信相手を表わす画像データと、画像データに関連付けられる通信相手とを格納するメモリと、画像信号と画像データとが対応するか否かを判定する判定手段と、画像信号が画像データに対応すると判定されると、画像信号の送信者が通信相手であることを表示する表示制御手段とを備える。
【００１２】
この発明のさらに他の局面に従うテレビ電話装置は、予め規定された通信プロトコルに従って、撮影によって取得された信号を受信する受信手段と、テレビ電話装置の通信相手を特定するため識別データと、識別データに関連付けられる通信相手とを格納する記憶手段と、信号と識別データとが対応するときに、信号の送信者が通信相手であることを通知する通知手段とを備える。
【００１３】
好ましくは、通知手段は、信号の送信者が通信相手であることを表示する表示手段を含む。
【００１４】
好ましくは、通知手段は、信号の送信者が通信相手であることを表わす音声を出力する音声出力手段を含む。
【００１５】
好ましくは、テレビ電話装置は、信号と識別データとが対応するか否かを判定する判定手段をさらに備える。信号が識別データに対応すると判定されると、通知手段は、信号の送信者が通信相手であることを通知する。
【００１６】
好ましくは、信号は、被写体の撮影によって生成された画像信号を含む。識別データは、テレビ電話装置の使用者を撮影することにより生成された画像データを含む。
【００１７】
好ましくは、信号は、被写体の撮影によって生成された画像信号から算出された特徴量を含む。識別データは、テレビ電話装置の使用者の撮影によって生成された画像データから算出された特徴量を含む。
【発明を実施するための最良の形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
＜第１の実施の形態＞
図１を参照して、本発明の第１の実施の形態に係る映像伝送システム１０について説明する。図１は、映像伝送システム１０のシステム構成を表わす図である。映像伝送システム１０は、携帯電話１００と携帯電話１２０とを備える。携帯電話１００，１２０は、少なくともデータの送受信が可能な携帯電話である。好ましくは、携帯電話１００，１２０は、テレビ電話機能を有する。テレビ電話機能は、たとえばＩＰプロトコルを用いて実現されるものであるが、他の通信プロトコルに従うものであってもよい。
【００２０】
携帯電話１００は、その筐体の前面に、カメラ１０２と、ディスプレイ１０４と、複数のボタンからなる操作部１０６とを備える。携帯電話１００は、基地局１１０と通信可能である。
【００２１】
携帯電話１２０は、その筐体の前面に、カメラ１２２と、ディスプレイ１２４と複数のボタンからなる操作部１２６とを備える。携帯電話１２０は、たとえば基地局１３０と通信可能な位置に存在している。
【００２２】
基地局１１０と基地局１３０とは、ネットワーク１４０によって通信可能なように接続されている。
【００２３】
携帯電話１００の使用者１５０が携帯電話１００を操作すると、カメラ１０２は使用者１５０を撮影し、携帯電話１００はその撮影によって得られた画像信号を発信先である携帯電話１２０に送信する。
【００２４】
携帯電話１２０は、その信号を受信すると、ディスプレイ１２４に使用者１５０の画像１６０を表示する。
【００２５】
図２を参照して、本発明の実施の形態に係る携帯電話１００の構成について説明する。図２は、携帯電話１００のハードウェア構成を表わすブロック図である。携帯電話１００は、図１に示される構成に加えて、ＣＰＵ（Central Processing Unit）２１０と、スピーカ２２０と、ＬＥＤ（Light Emitting Diode）２３０と、マイク２６０と、メモリ２７０と、送信部２８０と、受信部２９０とを備える。
【００２６】
ＣＰＵ２１０は、操作部１０６によって入力が受け付けられた操作に応じて、あるいは受信部２９０によって受信された信号に含まれる命令に基づいて、携帯電話１００の動作を制御する。より具体的には、ＣＰＵ２１０は、メモリ２７０に格納されているプログラムおよびデータを用いて、携帯電話１００に対して与えられた命令に応じた処理を実行する。
【００２７】
スピーカ２１０は、受信部２９０によって着信を受けた信号に基づく音声（すなわち通話相手の音声）を出力する。また他の局面において、スピーカ２２０は、メモリ２７０に音声データが格納されている場合、その音声データに基づく音声を出力する。
【００２８】
カメラ１０２は、ＣＰＵ２１０から出力される命令に基づいて撮影動作を実行し、その撮影により得られる画像信号をＣＰＵ２１０に送出する。
【００２９】
ディスプレイ１０４は、ＣＰＵ２１０によってメモリ２７０に書き込まれたデータに基づいて画像を表示する。操作部１０６は、携帯電話１００に対する操作の入力を受け付けて、当該操作に応じた信号をＣＰＵ２１０に送出する。操作部１０６は、数字キー、ディスプレイ１０４に表示されるカーソルを上下および／または左右に移動させるためのカーソルキーおよびディスプレイ１０４に表示される項目の選択を決定するためのボタンなどを含む。操作部１０６は、他の局面において、押下を受け付けるボタンに代えて、ジョグダイヤルその他の操作手段によって実現されてもよい。
【００３０】
マイク２６０は、携帯電話１００に対する発話を受け付けて、その発話に応じた信号をＣＰＵ２１０に送出する。たとえば、携帯電話１００が他の携帯電話１２０と通話可能な状態である場合には、マイク２６０に対して与えられた発話に応じた信号は、ＣＰＵ２１０から送信部２８０に送られ、通話が実現される。
【００３１】
メモリ２７０は、携帯電話１００の製造時に予め準備されたデータと、ＣＰＵ２１０によって生成されたデータと、受信部２９０によって受信されたデータとを格納する。メモリ２７０は、不揮発性のメモリとして実現される。ＣＰＵ２１０によって生成されたデータは、ＲＡＭ（Random Access Memory）その他の揮発性のメモリ（図示しない）に格納される。携帯電話１００の動作を実現するために保持し続ける必要があるデータは、不揮発のメモリ２７０に格納される。データは、電話番号、ファームウェア、特定の処理を実現するアプリケーションプログラム等を含む。メモリ２７０は、たとえばフラッシュメモリ、ハードディスクなどによって実現される。また、他の局面において、メモリ２７０は、メモリカードその他の着脱可能な記録媒体によって構成されてもよい。
【００３２】
送信部２８０は、ＣＰＵ２１０によって与えられた命令に従って、通信セッションが形成された相手に対して音声信号あるいは画像信号を送信する。携帯電話１００が通常の電話機として機能している場合、送信部２８０は、マイク２６０によって受け付けられた発話に応じた音声信号をその通話相手に送信する。他の局面において携帯電話１００がデータ通信装置として機能している場合には、送信部２８０は、ＣＰＵ２１０によって生成されたパケットを特定の相手に送信する。パケットの構成は後述する。
【００３３】
受信部２９０は、基地局１１０から発信された信号を受信し、ノイズ除去、増幅などの処理を行なった後、処理後の信号をＣＰＵ２１０に送信する。携帯電話１００が電話機として機能している場合には、受信部２９０は、相手から発信された呼出信号の着信を受け付ける。また、他の局面において、受信部２９０は、基地局１１０から発信されたパケットデータを受信する。
【００３４】
次に、図３を参照して、本実施の形態に係る携帯電話１００を実現するＣＰＵ２１０について説明する。図３は、ＣＰＵ２１０によって実現される機能の構成を表わすブロック図である。ＣＰＵ２１０は、検知部３１０と、撮影制御部３２０と、画像認識部３３０と、判定部３４０と、送信制御部３５０とを備える。
【００３５】
検知部３１０は、操作部１０６に対する操作に基づいて携帯電話１００による電話の発信あるいはデータの送信が行なわれることを検知する。たとえば、携帯電話１００の使用者が操作部１０６の数字ボタンを押下して電話番号を入力した後に発信ボタン（図示しない）を押下したとき、検知部３１０は、電話の発信が行なわれることを検知する。検知部３１０による検知の結果は、撮影制御部３２０に与えられる。
【００３６】
撮影制御部３２０は、携帯電話１００による電話の発信が行なわれることの検知に応答して、カメラ１０２による撮影を実行する。より具体的には、撮影制御部３２０は、カメラ１０２に撮影命令を送出することにより、予め設定された撮影モードでカメラ１０２に被写体を撮影させる。カメラ１０２から出力される画像信号は、メモリ２７０その他の記憶手段に一時的に保持される。
【００３７】
画像認識部３３０は、カメラ１０２によって取得された画像信号に基づいてその被写体を認識する。より具体的には、画像認識部３３０は、予め構成されたフィルタ処理を実行し、画像信号を画像処理が可能な程度に補正する。フィルタ処理は、たとえば、濃淡処理、エッジ強調処理、２値化処理等を含む。画像認識部３３０による認識の結果は、判定部３４０あるいは送信制御部３５０に送られる。
【００３８】
判定部３４０は、メモリ２７０に予め格納されているデータと、カメラ１０２によって新たに取得された画像信号とに基づいて、電話の発信の際にカメラ１０２によって撮影された被写体が携帯電話１００の使用者であるか否かを判定する。ある局面において、判定部３４０は、当該使用者を予め撮影した際に算出された特徴量と、カメラ１０２によって電話の発信の際に取得された画像信号に基づく特徴量とを比較することにより、電話をかけようとしている被写体が当該使用者であるか否かを判定する。
【００３９】
送信制御部３５０は、操作部１０６に対して与えられた操作に応答して、送信部２８０を用いた送信を制御する。ある局面において、送信制御部３５０は、ＩＰ（Internet Protocol）に従った通信を実行する。好ましくは、送信制御部３５０は、ＳＩＰ（Session Initiation Protocol）に従った通信セッションを形成し、ＩＰ電話を実現する。
【００４０】
ある局面において、送信制御部３５０は、送信部２８０による電話の発信を表わす信号の送信前に、カメラ１０２の撮影によって取得された画像信号を送信する。他の局面において、送信制御部３５０は、当該発信を表わす信号と画像信号とを交互に送信してもよい。
【００４１】
次に、図４を参照して、本実施の形態に係る携帯電話１００のデータ構造について説明する。図４は、メモリ２７０におけるデータの格納の一態様を概念的に表わす図である。メモリ２７０は、データを格納するための複数のメモリ領域を含む。携帯電話１００に予め与えられた電話番号は、メモリ領域４１０に格納されている。携帯電話の使用者として予め入力された名前は、メモリ領域４２０に格納されている。携帯電話１００の使用者として予め入力された画像データは、メモリ領域４３０に格納されている。この画像データは、たとえば当該使用者が携帯電話１００を把持してカメラ１０２を自己に向けて撮影することによって取得されたデータである。
【００４２】
カメラ１０２による撮影を制御するための撮影制御プログラムは、メモリ領域４４０に格納されている。このプログラムがＣＰＵ２１０によって実行されると、ＣＰＵ２１０は、撮影制御部３２０として機能する。
【００４３】
カメラ１０２によって生成された画像を処理するためのプログラムは、メモリ領域４５０に格納されている。このプログラムがＣＰＵ２１０によって実行されると、ＣＰＵ２１０は、画像認識部３３０として機能する。
【００４４】
画像信号に基づいて特徴量を算出するためのプログラムは、メモリ領域４６０に格納されている。なお、このプログラムは、携帯電話１００に必須なものではなく、選択的に格納されていてもよい。このプログラムがＣＰＵ２１０によって実行されると、ＣＰＵ２１０は、カメラ１０２から出力された画像信号に基づいて特徴量を算出する。この場合、算出された特徴量は、メモリ２７０に確保される他のメモリ領域に書き込まれる。この場合、たとえばメモリ領域４３０に格納されている使用者の画像データと同様に、当該使用者を識別するためのデータとして使用されてもよい。
【００４５】
携帯電話１００のハードウェアの基本的な動作を制御するためのファームウェアは、メモリ領域４７０に格納されている。
【００４６】
なお、図４の例で明らかなように、本実施の形態においては、携帯電話１００の動作は、ＣＰＵ２１０が各プログラムを実行することにより実現される。すなわち、携帯電話１００の動作は、ハードウェアとソフトウェアとの協働として説明されている。しかしながら、他の局面において、携帯電話１００は、特定の処理を実現する回路素子の組み合せとして実現されてもよい。
【００４７】
次に、図５を参照して、携帯電話１００の制御構造について説明する。図５は、ＣＰＵ２１０が実行する一連の動作の一部を表わすフローチャートである。
【００４８】
ステップＳ５１０にて、ＣＰＵ２１０は、操作部１０６から出力される信号に基づいて、送信部２８０を介した発信操作を検知する。ステップＳ５２０にて、ＣＰＵ２１０は、その検知に応答して、撮影指令をカメラ１０２に送出する。カメラ１０２は、その指令に応答して予め設定された撮影モードに従って撮影動作を実行する。撮影によって生成された画像信号は、ＣＰＵ２１０に送出され、ワーク領域に一時的に書き込まれる。揮発メモリがＣＰＵ２１０とは別個に構成される場合には、当該信号は、その揮発メモリにおいて確保されたメモリ領域に書き込まれる。
【００４９】
ステップＳ５３０にて、ＣＰＵ２１０は、カメラ１０２から出力された画像信号に基づいて特徴量を算出する。ここで特徴量の算出は、通常の画像認識処理で使用される処理が用いられる。したがって、詳細な説明はここでは述べない。
【００５０】
ＣＰＵ２１０は、算出した特徴量をメモリ２７０の他のメモリ領域に格納する。ステップＳ５４０にて、ＣＰＵ２１０は、メモリ２７０において予め格納されている特徴量と、ステップＳ５３０において算出された特徴量とを比較する。ステップＳ５５０にて、ＣＰＵ２１０は、これらの特徴量が一致するか否かを判定する。ＣＰＵ２１０は、これらの特徴量が一致すると判定すると（ステップＳ５５０にてＹＥＳ）、制御をステップＳ５６０に切り換える。そうでない場合には（ステップＳ５５０にてＮＯ）、ＣＰＵ２１０は、制御をステップＳ５８０に切り換える。
【００５１】
ステップＳ５６０にて、ＣＰＵ２１０は、カメラ１０２から出力された画像信号と、発信元である携帯電話１００の電話番号（メモリ領域４１０）とから、パケットデータを生成する。パケットの構成は後述する。
【００５２】
ステップＳ５７０にて、ＣＰＵ２１０は、送信部２８０を介して、ダイヤルされた相手先に対して、電話の呼出信号とパケットデータとを送信する。この場合、ＣＰＵ２１０は、パケットデータを呼出信号の前に送信してもよい。他の局面において、ＣＰＵ２１０は、呼出信号とパケットデータとを交互に送信してもよい。
【００５３】
ステップＳ５８０にて、ＣＰＵ２１０は、通常の発信動作を実行する。すなわち、ＣＰＵ２１０は、送信制御部３５０として、呼出信号と携帯電話１００の電話番号とを相手先（たとえば携帯電話１２０）に送信する。この送信を受けた携帯電話１２０は、通常の呼出動作（発呼）を実行する。
【００５４】
次に、図６を参照して、携帯電話１００が送信するパケット６００について説明する。図６は、パケット６００の構成を概念的に表わす図である。パケット６００は、ヘッダ６１０と、ユーザデータ６２０とを含む。
【００５５】
ヘッダ６１０は、宛先ＩＰアドレスと、送信元ＩＰアドレス（すなわち携帯電話１００のアドレス）と、パケット６００の送信日時と、携帯電話１００の電話番号とを含む。
【００５６】
ユーザデータ６２０は、カメラ１０２によって生成された画像データを含む。パケット６００は、ＣＰＵ２１０によって生成される（ステップＳ５６０）。このような構成を有するパケット６００が携帯電話１００から相手先（携帯電話１２０）に送信されると、相手先の携帯電話１２０は、パケット６００から画像データを抽出し、そのデータに基づく画像を表示する。たとえば、図１に示されるように、携帯電話１２０は、ディスプレイ１２４において、発信者としての携帯電話１００の使用者１５０に対応する画像１６０を表示する。その結果、着信を受けた携帯電話１２０の使用者は、その発信元を画像により認識することができるため、なりすましなどによる不正な着信か否かを容易に判定することができる。
【００５７】
以上のようにして、本発明の第１の実施の形態に係る携帯電話１００は、発呼操作に応答して、操作者をカメラ１０２によって撮影し、画像信号を取得する。携帯電話１００は、その画像信号と、メモリ２７０に格納されている画像データ（メモリ領域４３０）とを比較して、操作者が携帯電話１００の使用者であるか否かを判定する。当該使用者が携帯電話１００を操作している場合、携帯電話１００は、その画像データあるいは生成された画像信号を使用してパケットデータを生成し、生成したパケットデータを発呼相手に送信する。そのパケットデータを受信した相手は、その画像データを抽出し、ディスプレイに表示する。
【００５８】
このような構成により、携帯電話１００の発呼者を表わす画像が相手先に表示されるため、相手先は、発呼者が誰であるかを確実に認識することができる。したがって、その電話を受けた受信者は、安心して電話に応じることができる。一方、そのような表示がされない電話を受けた受信者は、電話に応答する前に予めそのことを認識することができる。したがって、電話に応答するか否かも含めて、受信者による応答の自由度が向上し得る。
【００５９】
＜第２の実施の形態＞
本発明の第２の実施の形態に係る映像伝送システムは、電話の発信者は、画像信号を送信する代わりに、発信者を特定するためのデータであって撮影によって得られた画像信号に基づくデータを送信する機能を有する点で、前述の第１の実施の形態に係る映像伝送システム１０と異なる。この場合、発信者を具体的に認識する処理は、その情報の受信側である着信を受ける携帯電話によって行なわれる。
【００６０】
なお、本実施の形態において、発信側の携帯電話は、第１の実施の形態における携帯電話１００（図２）と同様のハードウェアによって実現される。そこで、以下の説明では、図２に示されるハードウェア構成を用いて行なう。
【００６１】
まず、図７を参照して、本発明の第２の実施の形態に係る携帯電話を実現するＣＰＵ２１０について説明する。図７は、ＣＰＵ２１０によって実現される機能の構成を表わすブロック図である。ＣＰＵ２１０は、検知部３１０と、撮影制御部３２０とに加えて、特徴量算出部７３０と送信制御部７４０とを備える。特徴量算出部７３０は、カメラ１０２から出力される画像信号に基づいて被写体の特徴量を算出する。算出の結果は、送信制御部７４０に与えられる。
【００６２】
送信制御部７４０は、その算出された特徴量を用いて送信用のパケットデータを生成し、相手先に送信するように送信部２８０を駆動する。この場合、送信制御部７４０によって生成されるパケットは、画像信号を含まないため、送信されるデータ量が少なくなる。その結果、通信による負荷が軽減され得る。
【００６３】
そこで、図８を参照して、本実施の形態に係る携帯電話から発信されるパケット８００について説明する。図８は、パケット８００の構成を概念的に表わす図である。パケット８００は、ヘッダ８１０と、ユーザデータ８２０とを含む。ヘッダ８１０は、宛先ＩＰアドレス（相手先のアドレス）、送信元ＩＰアドレス（本実施の形態に係る携帯電話のアドレス）と、パケット８００の送信日時と、当該携帯電話の電話番号とを含む。ユーザデータ８２０は、特徴量算出部７３０によって算出された特徴量を含む。この場合、パケット８００は、カメラ１０２から出力された画像信号を有さない点に注意されたい。
【００６４】
このようなパケット８００が送信されると、パケット８００の受信者は、ユーザデータ８２０から特徴量を抽出し、その特徴量を用いてパケット８００の送信者を認識する処理を実行する。
【００６５】
そこで、図９を参照して、本実施の形態に係る受信側の携帯電話１２０について説明する。図９は、携帯電話１２０のハードウェア構成を表わすブロック図である。携帯電話１２０は、カメラ１２０およびディスプレイ１２４および操作部１２６に加えて、ＣＰＵ９１０と、スピーカ９２０と、ＬＥＤ９３０と、マイク９６０と、メモリ９７０と、送信部９８０と、受信部９９０とを備える。
【００６６】
ＣＰＵ９１０は、携帯電話１２０に対して与えられる操作指示と携帯電話１２０に対して与えられる信号と携帯電話１２０において予め格納されているデータとのいずれかに基づいて予め規定された処理を実行し、携帯電話１２０の動作を制御する。ある局面において、ＣＰＵ９１０は、操作部１２６に対する着信を受ける操作に従って、受信部９９０によって受けられた電話に対する応答を開始する。他の局面において、ＣＰＵ９１０は、メモリ９７０に格納されているデータと受信部９９０によって受信された信号に含まれるデータとに基づいてデータの送信者を認識するための処理を実行する。他の局面において、ＣＰＵ９１０は、カメラ１２２に対して撮影命令を送信し、カメラ１２２による撮影を実現する。他の局面において、ＣＰＵ９１０は、カメラ１２２によって生成された画像信号あるいはメモリ９７０に格納されているデータもしくは受信部９９０によって受信されたデータに基づいて画像をディスプレイ１２４に表示する。
【００６７】
スピーカ９２０は、ＣＰＵ９１０から送られる音声信号に基づいて音声を出力する。
マイク９６０は、携帯電話１２０に対する発話を受け付けて、その発話に応じた音声信号を送信部９８０に送信する。
【００６８】
メモリ９７０は、携帯電話１２０に特定の動作を実行させるためのデータおよびプログラムを格納している。当該データは、携帯電話１２０の製造時に作成されたデータ、携帯電話１２０の使用者によって入力されたデータ（たとえば使用者の名称その他の属性など）とを含む。プログラムは、携帯電話１２０に電話機としての動作を実現するためのファームウェアと、ＳＩＰに従ったＩＰ電話を実現するための通信制御プログラムと、その他のアプリケーションプログラムとを含む。
【００６９】
送信部９８０は、ＣＰＵ９１０から送られるパケットあるいは音声信号を特定の相手先に送信する。
【００７０】
受信部９９０は、携帯電話１２０に対する着信を受け付けて、その着信信号に含まれるデータをＣＰＵ９１０に送出する。他の局面において、受信部９９０は、パケットデータを受信し、そのパケットに含まれるユーザデータを抽出し、抽出したデータをＣＰＵ９１０に送出する。ＣＰＵ９１０が入力を受けたデータは、メモリ９７０に格納される。
【００７１】
次に、図１０を参照して、携帯電話１２０のデータ構造について説明する。図１０は、メモリ９７０におけるデータの格納の一態様を概念的に表わす図である。メモリ９７０は、データを格納するための複数のメモリ領域を含む。
【００７２】
携帯電話１２０に対して割り当てられた電話番号は、メモリ領域１０１０に格納されている。携帯電話１２０の使用者の名前は、メモリ領域１０２０に格納されている。
【００７３】
メモリ９７０は、電話帳としてのテーブル１０３０も含む。テーブル１０３０は、データ項目として、予め登録された通話相手を識別するデータと、当該相手の電話番号と、当該相手について予め取得された特徴量とを含む。より具体的には、登録された通話相手ＩＤ（Identification）は、メモリ領域１０３２に格納されている。当該相手の電話番号は、メモリ領域１０３４に格納されている。当該相手の特徴量（たとえばその相手の顔画像の特徴量）は、メモリ領域１０３６に格納されている。たとえば、Ａさん（ＩＤ＝０１）から着信を受けた場合、その着信は、電話番号（メモリ領域１０３４）および特徴量（メモリ領域１０３６）の双方を用いて認証されることになる。
【００７４】
メモリ９７０は、携帯電話１２０に固有の処理を実行させるためのプログラムをさらに格納している。より具体的には、電話の発信者を特定するためのプログラムは、メモリ領域１０４０に格納されている。携帯電話１２０が着信を受けたことを通知するプログラムは、メモリ領域１０５０に格納されている。携帯電話１２０の基本的な動作を実現するためのファームウェアは、メモリ領域１０６０に格納されている。ＣＰＵ９１０が、発信者特定プログラム（メモリ領域１０４０）を実行すると、携帯電話１２０が受けた着信の各々について、その発信者を特定するための処理が行なわれる。この処理の詳細は後述する。
【００７５】
着信通知制御プログラム（メモリ領域１０５０）がＣＰＵ９１０によって実行されると、携帯電話１２０は、着信を受けた相手に応じた通知動作（たとえばスピーカ９２０からの音声の出力、ディスプレイ１２４における表示態様の切り換えなど）が実現される。
【００７６】
次に、図１１を参照して、本実施の形態に係る携帯電話１２０を実現するＣＰＵ９１０について説明する。図１１は、ＣＰＵ９１０によって実現される機能の構成を表わすブロック図である。ＣＰＵ９１０は、特徴量抽出部１１１０と、判定部１１２０と、着信通知制御部１１３０とを含む。
【００７７】
特徴量抽出部１１１０は、携帯電話１２０が受信部９９０を介して受信したパケットの中から特徴量を抽出する。より具体的には、携帯電話１２０がパケット８００を受信した場合には、特徴量抽出部１１１０は、ユーザデータ８２０から特徴量を取り出し、メモリ９７０において確保したワーク領域に書き込む。
【００７８】
判定部１１２０は、特徴量抽出部１１１０によって抽出された特徴量と、メモリ９７０において予め格納されている特徴量（メモリ領域１０３６）とに基づいて、電話の発信者が予め登録された通話相手であるか否かを判定する。より具体的には、ＣＰＵ９１０は、これらの特徴量が一致する場合には、その電話の発信者は登録された通話相手（メモリ領域１０３２）であると判定する。なお、判定部１１２０による誤判定を防止するために、算出された特徴量とメモリ領域１０３６に格納されている特徴量との差について許容誤差が設けられてもよい。
【００７９】
着信通知制御部１１３０は、判定部１１２０の判定の結果に基づいて、携帯電話１２０による着信の通知動作を制御する。より具体的には、電話の発信者が予め登録された通話相手である場合には、着信通知制御部１１３０は、その旨を表わす画像をディスプレイ１２４に表示する。他の局面において、着信通知制御部１１３０は、その旨を通知するものとして予め準備された音声データに基づいて音声をスピーカ９２０から出力する。さらに他の局面において、携帯電話１２０がＬＥＤ（Light Emitting Diode）９３０その他の発光手段を有する場合には、着信通知制御部１１３０は、予め登録された通話相手からの着信であることを表わすものとして規定された発光動作を当該発光手段に実行させる。当該発光動作は、携帯電話１２０の使用者によって予め定められた色の発光、予め設定されたパターンによる点滅等を含む。
【００８０】
次に、図１２を参照して、本実施の形態に係る携帯電話１２０の制御構造について説明する。図１２は、ＣＰＵ９１０が実行する一連の動作の一部を表わすフローチャートである。
【００８１】
ステップＳ１２１０にて、ＣＰＵ９１０は、受信部９９０から送られるデータに基づいてパケット８００を受信したことを検知する。ステップＳ１２２０にて、ＣＰＵ９１０は、パケット８００のヘッダ８１０に格納されている制御コードに基づいて、ＩＰ電話の着信を受けたことを検知する。ステップＳ１２３０にて、ＣＰＵ９１０は、受信したパケット８００から特徴量（ユーザデータ８２１）と、相手先の電話番号（ヘッダ８１０）とを抽出し、これらのデータをメモリ９７０のワーク領域に書き込む。
【００８２】
ステップＳ１２４０にて、ＣＰＵ９１０は、テーブル１０３０（図１０）を参照して、抽出した電話番号に対応する特徴量がメモリ９７０に存在するか否かを判定する。ＣＰＵ９１０は、その特徴量がメモリ９７０に存在すると判定すると（ステップＳ１２４０にてＹＥＳ）、制御をステップＳ１２５０に切り換える。そうでない場合には（ステップＳ１２４０にてＮＯ）、ＣＰＵ９１０は、制御をステップＳ１２７０に切り換える。
【００８３】
ステップＳ１２５０にて、ＣＰＵ９１０は、ＩＰ電話の発信者の名前をメモリ領域１０３２から読出して、その名前をディスプレイ１２４に表示する。ステップＳ１２６０にて、ＣＰＵ９１０は、スピーカ９２０に命令を送信することにより、着信を通知するための呼出音声を出力する。
【００８４】
ステップＳ１２７０にて、ＣＰＵ９１０は、未登録の相手からの電話であるメッセージをディスプレイ１２４に表示する。このメッセージは、メモリ９７０に予め準備されて格納されているものである。
【００８５】
ここで、図１３を参照して、携帯電話１２０による表示態様について説明する。図１３（Ａ）および図１３（Ｂ）は、電話の着信を受けた携帯電話１２０がディスプレイ１２４に表示する画面を表わす図である。
【００８６】
図１３（Ａ）を参照して、携帯電話１２０が未登録の相手から着信を受けた場合には、ディスプレイ１２４は、メッセージ１３１０として「着信！発信者は未登録です」と表示する。
【００８７】
図１３（Ｂ）を参照して、携帯電話１２０が予め登録された相手から着信を受けた場合には、ディスプレイ１２４は、メッセージ１３２０として「Ａさんからの電話です」と表示し、さらに画像データが予め格納されている場合には、画像１３３０を併せて表示する。
【００８８】
以上のようにして、本発明の第２の実施の形態に係る携帯電話１２０は、ＩＰ電話の発信者から受信した特徴量に基づいて当該発信者が予め着信を受ける可能性のある通話相手として登録されているか否かを判定する。特徴量による判定のため、通信回線に対する付加は軽減される。
【００８９】
このような構成により、携帯電話１２０は、判定の結果に基づいて、発呼動作を切り換えることができる。たとえば、携帯電話１２０が、通話相手ごとに予め登録された特徴量と、通話相手の顔画像のデータを有していてもよい。この場合、受信した発呼信号に含まれる特徴量に基づいて顔画像のデータが特定される。そして、このデータに基づく顔画像がディスプレイに表示される。
【００９０】
このようにすると、画像データそのものを送信する場合に比べてデータ伝送量が削減されるため、通信回線に対する負荷を増大することなく、通話相手を容易に特定し易くなる。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９２】
【図１】本発明の第１の実施の形態に係る映像伝送システム１０のシステム構成を表わす図である。
【図２】本発明の第１の実施の形態に係る携帯電話１００のハードウェア構成を表わすブロック図である。
【図３】携帯電話１００を実現するＣＰＵ２１０によって実現される機能の構成を表わすブロック図である。
【図４】携帯電話１００のメモリ２７０におけるデータの格納の一態様を概念的に表わす図である。
【図５】携帯電話１００のＣＰＵ２１０が実行する一連の動作の一部を表わすフローチャートである。
【図６】携帯電話１００が送信するパケット６００の構成を概念的に表わす図である。
【図７】本発明の第２の実施の形態に係る携帯電話を実現するＣＰＵ２１０によって実現される機能の構成を表わすブロック図である。
【図８】本発明の第２の実施の形態に係る携帯電話から発信されるパケット８００の構成を概念的に表わす図である。
【図９】本発明の第２の実施の形態に係る携帯電話１２０のハードウェア構成を表わすブロック図である。
【図１０】携帯電話１２０のメモリ９７０におけるデータの格納の一態様を概念的に表わす図である。
【図１１】携帯電話１２０のＣＰＵ９１０によって実現される機能の構成を表わすブロック図である。
【図１２】携帯電話１２０のＣＰＵ９１０が実行する一連の動作の一部を表わすフローチャートである。
【図１３】電話の着信を受けた携帯電話１２０がディスプレイ１２４に表示する画面を表わす図である。
【符号の説明】
【００９３】
１０  映像伝送システム、１００，１２０  携帯電話、１０２  カメラ、１０４，１２４  ディスプレイ、１０６，１２６  操作部、１１０，１３０  基地局、１４０  ネットワーク、１５０  使用者、１６０  画像、６００，８００  パケット、６１０  ヘッダ、６２０  ユーザデータ、１０３０  テーブル。
【図１】
2008199509.tif 000003
【図２】
2008199509.tif 000004
【図３】
2008199509.tif 000005
【図４】
2008199509.tif 000006
【図５】
2008199509.tif 000007
【図６】
2008199509.tif 000008
【図７】
2008199509.tif 000009
【図８】
2008199509.tif 000010
【図９】
2008199509.tif 000011
【図１０】
2008199509.tif 000012
【図１１】
2008199509.tif 000013
【図１２】
2008199509.tif 000014
【図１３】
2008199509.tif 000015